(57)【要約】【課題】外部機器に給電可能な携帯端末装置に、バッテリー残量に対する給電を停止するためのしきい値及び連続給電時間に対する給電を停止するためのしきい値が互いに無関係に独立した値として設定できる。【解決手段】携帯端末装置１００の充電された充放電可能なバッテリー部１０１から当該バッテリー部１０１に給電線３００で接続された外部機器２００のバッテリー部２０１への給電が開始された状態において、携帯端末装置１００で検出されたバッテリー残量が携帯端末装置１００に書き換え可能に保存された第１のしきい値に到達したか又は携帯端末装置１００で検出された連続給電時間が携帯端末装置１００に書き換え可能に保存された第２のしきい値に到達したかの何れかの発生により上記バッテリー部１０１からバッテリー部２０１への給電を停止するようになっている。【選択図】図１
2014090273.tif 000002
【特許請求の範囲】
【請求項１】
充放電可能なバッテリー部と、バッテリー部の残量を検出するバッテリー残量検出手段と、バッテリー部から当該バッテリー部に接続された外部機器のバッテリー部に連続して給電された連続給電時間を検出する連続給電時間検出手段と、記憶部と、入力操作部と、入力操作部から入力された第１及び第２のしきい値を記憶部に書き換え可能に保存させる書き換え手段と、バッテリー部から当該バッテリー部に接続された外部機器のバッテリー部への給電が開始された状態においてバッテリー残量検出手段で検出されたバッテリー残量が記憶部に保存された第１のしきい値に到達したか又は連続給電時間検出手段で検出された連続給電時間が記憶部に保存された第２のしきい値に到達したかの何れかの発生により上記バッテリー部から外部機器のバッテリー部への給電を停止する給電制御手段とを備えたことを特徴とする外部機器に給電可能な携帯端末装置。
【請求項２】
入力操作部からのモード設定の入力により第１又は第２のモードの何れかを給電制御手段に設定する給電モード設定手段を備え、第１のモードが設定された場合には給電制御手段がバッテリー部から当該バッテリー部に接続された外部機器のバッテリー部への電流の流れを検出することにより上記バッテリー部から外部機器のバッテリー部への給電を開始し、第２のモードが設定された場合には給電制御手段が入力操作部からの給電開始の入力により上記バッテリー部から外部機器のバッテリー部への給電を開始することを特徴とする請求項１記載の外部機器に給電可能な携帯端末装置。
【請求項３】
検出されたバッテリー残量が記憶部に保存された第１のしきい値に到達したか又は検出された連続給電時間が記憶部に保存された第２のしきい値に到達したかの何れかの発生により給電の停止した後に入力操作部からの給電開始の入力により給電制御手段の制御に置換してバッテリー部から当該バッテリー部に接続された外部機器のバッテリー部への給電を再開する強制給電手段を備えたことを特徴とする請求項１および請求項２記載の外部機器に給電可能な携帯端末装置。
【請求項４】
情報を可視化させるように表示する表示部と、第１又は第２のしきい値パラメータを表示部に表示する表示制御手段とを備えたことを特徴とする請求項１乃至請求項３記載の外部機器に給電可能な携帯端末装置。
【請求項５】
携帯端末装置の充電された充放電可能なバッテリー部から当該バッテリー部に接続された外部機器のバッテリー部への給電が開始された状態において、携帯端末装置で検出されたバッテリー残量が携帯端末装置に書き換え可能に保存された第１のしきい値に到達したか又は携帯端末装置で検出された連続給電時間が携帯端末装置に書き換え可能に保存された第２のしきい値に到達したかの何れかの発生により上記携帯端末装置のバッテリー部から外部機器のバッテリー部への給電を停止することを特徴とする携帯端末装置から外部機器に給電する方法。
【請求項６】
給電開始による携帯端末装置のバッテリー部から当該バッテリー部に接続された外部機器のバッテリー部への給電を開始するステップと、当該給電が開始された状態における携帯端末装置のバッテリー残量及び連続給電時間を検出するステップと、検出されたバッテリー残量が携帯端末装置に書き換え可能に保存された第１のしきい値に到達したか又は検出された連続給電時間が携帯端末装置に書き換え可能に保存された第２のしきい値に到達したかの何れかの発生により上記携帯端末装置のバッテリー部から外部機器のバッテリー部への給電を停止するステップとを備えたことを特徴とする外部機器に給電可能な携帯端末装置に用いられるコンピュータープログラム。
【発明の詳細な説明】
【技術分野】
【０００１】
本発明は、外部機器に給電可能な携帯端末装置、携帯端末装置から外部機器に給電する方法、外部機器に給電可能な携帯端末装置に用いられるコンピュータープログラムに関する。
【背景技術】
【０００２】
図１０は、特許文献１又は特許文献２で開示された第１携帯電話機４０１から第２携帯電話機４０２に給電する装置を示す。図１０において、第１携帯電話機４０１と第２携帯電話機４０２とが給電線４０３で接続された状態において、第１携帯電話機４０１と第２携帯電話機４０２とが通信を相互に行うことにより、第１携帯電話機４０１が給電線４０３による接続が成立したことを感知する（ステップ１３０１がＹＥＳ）。一方、第１携帯電話機４０１が検出した自分のバッテリー残量から供給予定の電力量の選択肢を表示部に表示する。そして、人が上記表示された選択肢から１つを選択することにより、第１携帯電話機４０１が第２携帯電話機４０２への給電を開始する（ステップ１３０２）。その後、第１携帯電話機４０１が検出した自分のバッテリー残量から第２携帯電話機４０２への供給電力量を求め（ステップ１３０３）、その求めた供給電力量が上記選択された１つの供給予定の電力量に到達した場合（ステップ１３０４がＹＥＳ）には、第１携帯電話機４０１が第２携帯電話機４０２への給電を停止する（ステップ１３０５）。
【０００３】
このように、図１０における第１携帯電話機４０１から第２携帯電話機４０２に給電する装置は、給電する側の第１携帯電話機４０１と給電される側の第２携帯電話機４０２とを所持した人が外出先等において、第２携帯電話機４０２がバッテリー切れになりかけた場合に、第１携帯電話機４０１から第２携帯電話機４０２に給電できるようになっている。
【０００４】
又、特許文献３で開示された無線通信装置は、検出した電池残量から通信機能に初期設定された時間使用するのに必要な消費電力を引き算し、その残った容量を通信機能以外の付加機能に必要な消費電力で割り算して、通信機能以外の付加機能に使用可能な時間を求めることにより、通信機能と通信機能以外の付加機能との双方を使えるようになっている。
【０００５】
特許文献４で開示された放電制御装置は、２次電池の周囲温度とバッテリー残量とを検出し、それらの周囲温度とバッテリー残量とに基づき２次電池の放電を停止するようになっている。特許文献５で開示された充電器は、給電される側のバッテリー残量情報から給電可能時間を割り出し、その割り出した時間中、給電を行うようになっている。
【０００６】
よって、特許文献３乃至特許文献５に記載された事項を図１０に記載された装置に応用しても、給電する側の第１携帯電話機４０１、バッテリー残量に対する給電を停止するためのしきい値及び連続給電時間に対する給電を停止するためのしきい値を互いに無関係に独立した値として設定できないという欠点がある。
【先行技術文献】
【特許文献】
【０００７】
【特許文献１】特許第４３９４０２３号公報
【特許文献２】特許第４９８７０４７号公報
【特許文献３】特開２００２‐１６５３７２号公報
【特許文献４】特開２０１１‐１５５８９号公報
【特許文献５】特開平６‐３８３９２号公報
【発明の概要】
【発明が解決しようとする課題】
【０００８】
本発明は、上記背景技術に鑑みてなされたものであり、外部機器に給電可能な携帯端末装置に、バッテリー残量に対する給電を停止するためのしきい値及び連続給電時間に対する給電を停止するためのしきい値が互いに無関係に独立した値として設定できるようにすることを目的とする。
【課題を解決するための手段】
【０００９】
本発明に係る外部機器への給電可能な携帯端末装置は、充放電可能なバッテリー部と、バッテリー部の残量を検出するバッテリー残量検出手段と、バッテリー部から当該バッテリー部に接続された外部機器のバッテリー部に連続して給電された連続給電時間を検出する連続給電時間検出手段と、記憶部と、入力操作部と、入力操作部から入力された第１及び第２のしきい値を記憶部に書き換え可能に保存させる書き換え手段と、バッテリー部から当該バッテリー部に接続された外部機器のバッテリー部への給電が開始された状態においてバッテリー残量検出手段で検出されたバッテリー残量が記憶部に保存された第１のしきい値に到達したか又は連続給電時間検出手段で検出された連続給電時間が記憶部に保存された第２のしきい値に到達したかの何れかの発生により上記バッテリー部から外部機器のバッテリー部への給電を停止する給電制御手段とを備えたことを特徴とする。
【００１０】
又、本発明に係る携帯端末装置から外部機器に給電を行う方法は、携帯端末装置の充電された充放電可能なバッテリー部から当該バッテリー部に接続された外部機器のバッテリー部への給電が開始された状態において、携帯端末装置で検出されたバッテリー残量が携帯端末装置に書き換え可能に保存された第１のしきい値に到達したか又は携帯端末装置で検出された連続給電時間が携帯端末装置に書き換え可能に保存された第２のしきい値に到達したかの何れかの発生により上記携帯端末装置のバッテリー部から外部機器のバッテリー部への給電を停止することを特徴とする。
【００１１】
又、本発明に係る外部機器への給電可能な携帯端末装置に用いられるコンピュータープログラムは、給電開始による携帯端末装置のバッテリー部から当該バッテリー部に接続された外部機器のバッテリー部への給電を開始するステップと、当該給電が開始された状態における携帯端末装置のバッテリー残量及び連続給電時間を検出するステップと、検出されたバッテリー残量が携帯端末装置に書き換え可能に保存された第１のしきい値に到達したか又は検出された連続給電時間が携帯端末装置に書き換え可能に保存された第２のしきい値に到達したかの何れかの発生により上記携帯端末装置のバッテリー部から外部機器のバッテリー部への給電を停止するステップとを備えたことを特徴とする。
【発明の効果】
【００１２】
本発明に係る外部機器への給電可能な携帯端末装置、又は、携帯端末装置から外部機器に給電を行う方法、又は、外部機器への給電可能な携帯端末装置に用いられるコンピュータープログラムは、バッテリー残量に対する給電を停止するための第１のしきい値及び連続給電時間に対する給電を停止するための第２のしきい値が互いに無関係に独立した値として設定できるという効果がある。
【００１３】
本発明に係る外部機器への給電可能な携帯端末装置において、入力操作部からのモード設定の入力により第１又は第２のモードの何れかを給電制御手段に設定する給電モード設定手段を備え、第１のモードが設定された場合には給電制御手段がバッテリー部から当該バッテリー部に接続された外部機器のバッテリー部への電流の流れを検出することにより上記バッテリー部から外部機器のバッテリー部への給電を開始し、第２のモードが設定された場合には給電制御手段が入力操作部からの給電開始の入力により上記バッテリー部から外部機器のバッテリー部への給電を開始する。これにより携帯端末装置のバッテリー部から外部機器のバッテリー部への電流の流れを検出したことに伴い携帯端末装置の上記バッテリー部から外部機器のバッテリー部への給電を開始する場合と、入力操作部からの給電開始の入力に伴い携帯端末装置の上記バッテリー部から外部機器のバッテリー部への給電を開始する場合とを使い分けることができる。
【００１４】
本発明に係る外部機器への給電可能な携帯端末装置において、検出されたバッテリー残量が記憶部に保存された第１のしきい値に到達したか又は検出された連続給電時間が記憶部に保存された第２のしきい値に到達したかの何れかの発生により給電の停止した後に入力操作部からの給電開始の入力により給電制御手段の制御に置換してバッテリー部から当該バッテリー部に接続された外部機器のバッテリー部への給電を再開する強制給電手段を備えれば、第１及び第２のしきい値を超えた給電を例外的に行うことができる。
【００１５】
本発明に係る外部機器への給電可能な携帯端末装置において、情報を可視化させるように表示する表示部と、第１又は第２のしきい値パラメータを表示部に表示する表示制御手段とを備えれば、人が第１のしきい値又は第２のしきい値に到達した時のバッテリー残量や待受可能時間又は通話可能時間を適切に把握することができる。
【図面の簡単な説明】
【００１６】
【図１】実施の形態１に係る第１携帯電話機から第２携帯電話機に給電する装置を示す模式図。
【図２】実施の形態１に係る第１携帯電話機を示す構成図。
【図３】実施の形態１に係る給電停止データベース部を示す図表。
【図４】実施の形態１に係る給電停止データベース部を示す図表。
【図５】実施の形態１に係る表示データベース部を示す図表。
【図６】実施の形態１に係るしきい値データベース部を示す図表。
【図７】実施の形態１に係る第１携帯電話機での給電処理を示すフローチャート。
【図８】実施の形態１に係る第１携帯電話機での給電処理を示すフローチャート。
【図９】実施の形態２に係る第１携帯電話機での給電処理を示すフローチャート。
【図１０】従来の第１携帯電話機から第２携帯電話機に給電する装置を示す模式図。
【発明を実施するための形態】
【００１７】
図１を参照し、実施の形態１に係る第１携帯電話機１００から第２携帯電話機２００に給電する装置について説明する。図１において、第１携帯電話機１００が外部機器へ給電可能な携帯端末装置を構成し、第２携帯電話機２００が第１携帯電話機１００から給電される外部機器を構成し、第１携帯電話機１００から第２携帯電話機２００に給電を行う場合において第１携帯電話機１００のバッテリー部１０１と第２携帯電話機２００のバッテリー部２０１とが給電線３００で接続された形を例示する。第２携帯電話機２００としては、多機能携帯電話機を例示する。
【００１８】
給電線３００の一方の端に設けられたケーブル端子部３０１が給電端子部１０５に接続され、給電線３００の他方の端に設けられたケーブル端子部３０２が充電端子部２０２に接続されることにより、バッテリー部１０１とバッテリー部２０１とが互いに給電線３００で接続され、バッテリー部１０１からバッテリー部２０１への給電の準備が整う。
【００１９】
一方、第１携帯電話機１００には、人為操作により、第１のしきい値、第２のしきい値、給電モードが予め設定される。第１のしきい値及び第２のしきい値は、人為操作により、書き換えられる。図１に図示していない電源スイッチが人為操作によりオンに操作され、バッテリー部１０１からの電力で動作した制御部１１３の制御により、無線通信部１０７が図１に図示していない基地局からの一斉呼出を待ち受ける待受状態になる。その待受状態において、例えば、第１携帯電話機１００におけるキーボード部１３５のうちの１つのキー又は複数のキー或いは表示部１０８に表示されたシンボルマーク部が人為操作されることにより、給電モードとして第１のモード又は第２のモードが制御部１１３に予め設定される。第１のモード及び第２のモードは、人為操作により、設定後に変更できるようになっている
【００２０】
給電モードとして第１のモードが設定された状態にあっては、制御部１１３が図１に図示していない給電検出シーケンス部による動作を開始し、その給電検出シーケンス部に基づくバッテリー部１０１からバッテリー部２０１への電流の流れを制御部１１３が検出すると、制御部１１３が図１に図示していない給電回路部を制御し、給電回路部がバッテリー部１０１からバッテリー部２０１への給電を開始する一方、上記電流の流れを制御部１１３が検出しなければ、制御部１１３が図外の給電回路部を制御せず、給電回路部がバッテリー部１０１からバッテリー部２０１への給電を開始しない。
【００２１】
給電検出シーケンス部は、第１のモードにおいて、バッテリー部１０１からバッテリー部２０１の側に監視用の電流を間欠的に繰り返して供給するような動作を実行する順序制御処理になっている。例えば、監視用の電流を３秒間流した後に１５秒間中断し、再び、監視用の電流を３秒間流した後に１５秒間中断するというように、給電検出シーケンス部は監視用の電流の流れを間欠的に繰り返すようになっており、バッテリー部１０１からバッテリー部２０１の側への監視用の電流の流れが検出された場合に、制御部１１３がバッテリー部１０１からバッテリー部２０１への給電を開始する。
【００２２】
制御部１１３は、検出されたバッテリー残量が第１携帯電話機１００に予め設定された第１のしきい値に到達した場合、検出された連続給電時間が第１携帯電話機１００に予め設定された第２のしきい値に到達した場合、給電不要が検出された場合、バッテリー部１０１の温度の異常が検出された場合、バッテリー部１０１の充電中が検出された場合の何れか１つが発生することにより、上記第１のモードで開始した給電を停止する。
【００２３】
第１のモードにおいて、制御部１１３は、バッテリー部１０１が満充電となっても、ＡＣアダプタ等の充電器又は携帯用の充電器が充電端子部１０４に接続された間は、給電検出シーケンス部の動作を再開させず、ＡＣアダプタ等の充電器又は携帯用の充電器が充電端子部１０４から抜き去られたことを検出することにより、給電検出シーケンス部による動作を再開するようになっている。
【００２４】
一方、給電モードとして第２のモードが予め設定された状態にあっては、制御部１１３は給電検出シーケンス部による動作を中止し、人為操作により、給電スイッチ部１３６がオン操作されるか又は表示部１０８に表示された給電開始のシンボルマーク部が操作されると、制御部１１３が図１に図示していない給電回路部を制御し、給電回路部がバッテリー部１０１からバッテリー部２０１への給電を開始する。
【００２５】
制御部１１３は、給電スイッチ部１３６がオフに操作されるか又は表示部１０８に表示された給電停止のシンボルマーク部が操作された場合、検出されたバッテリー残量が第１携帯電話機１００に予め設定された第１のしきい値に到達した場合、検出された連続給電時間が第１携帯電話機１００に予め設定された第２のしきい値に到達した場合、給電不要が検出された場合、バッテリー部１０１の温度の異常が検出された場合、バッテリー部１０１の充電中が検出された場合の何れか１つが発生することにより、上記第２のモードで開始した給電を停止する。
【００２６】
制御部１１３は、第２のモードの給電中において、ＡＣアダプタ等の充電器又は携帯用の充電器が充電端子部１０４に接続された場合は、第２のモードの給電による給電が停止し、バッテリー部１０１への充電が始まるが、給電不要の検出に伴う給電停止後は、ＡＣアダプタ等の充電器又は携帯用の充電器が充電端子部１０４から抜き去られた後でも、制御部１１３がバッテリー部１０１からバッテリー部２０１への給電を再開しないように給電回路部を制御する。
【００２７】
制御部１１３は、第２のモードにおいて、給電を停止した後は、その給電の停止を維持するようになっており、再度、給電を開始するには、人為操作により、給電スイッチ部１３６がオン操作されるか又は表示部１０８に表示された給電開始のシンボルマーク部が操作されることにより、バッテリー部１０１からバッテリー部２０１への給電を開始するよう給電回路部を制御する。
【００２８】
バッテリー部１０１は、表示部１０８とキーボード部１３５とにわたる大きさであり、定格の充電容量として１７００ｍＡｈに限定されるものではないが、例えば１７００ｍＡｈの大容量を有する。キーボード部１３５は、人為操作に対応する電気信号を制御部１１３に入力する機器を構成する多数個のキーを備える。多数個のキーは、置数キー、電源スイッチ、発信スイッチ、ファンクションキー等である。給電スイッチ部１３６は、人為操作に対応する給電開始又は給電停止の電気信号を制御部１１３に入力するスイッチを構成し、例えば、給電スイッチ部１３６が人為操作されるごとに給電開始と給電停止との電気信号を交互に制御部１１３に入力するようになっている。
【００２９】
マイクロホン部１０９は、第１携帯電話機１００の容器の外部における音声や音を容器に設けられた集音孔部１３７より集音して電気信号に変換して制御部１１３に出力する。スピーカー部１１０は、バッテリー部１０１からの電力で動作した制御部１１３の制御により無線通信部１０７から入力された電気信号を音声や音に変換して放出する。スピーカー部１１０から放出された音声や音は、第１携帯電話機１００の容器に設けられた放音孔部１３８から容器の外部に放出される。
【００３０】
尚、バッテリー部２０１は、第２携帯電話機２００の表示部２０３と同程度の大きさであり、定格の充電容量として、１７００ｍＡｈに限定されるものではないが、例えば１７００ｍＡｈの大容量を有する。第２携帯電話機２００には、表示部１０８に相当する表示部２０３、制御部１１３に相当する制御部２０４、無線通信部１０７に相当する無線通信部２０５、マイクロホン部１０９に相当するマイクロホン部２０６、スピーカー部１１０に相当するスピーカー部２０７、集音孔部１３７に相当する集音孔部２０８、放音孔部１３８に相当する放音孔部２０９を備える。
【００３１】
キーボード部１３５、給電スイッチ部１３６、表示部１０８に表示されたキーや給電開始或いは給電停止等を表現するシンボルマーク部等は、図２では人為操作に対応する電気信号を制御部１１３に入力する機器を構成する入力操作部１１１と総称される。
【００３２】
図２を参照し、実施の形態１に係る第１携帯電話機１００の構成について説明する。図２において、第１携帯電話機１００は、携帯可能な大きさの容器に、バッテリー部１０１、充電回路部１０２、給電回路部１０３、充電端子部１０４、給電端子部１０５、電源スイッチ１０６、無線通信部１０７、表示部１０８、マイクロホン部１０９、スピーカー部１１０、入力操作部１１１、記憶部１１２、制御部１１３を備える。
【００３３】
バッテリー部１０１は、第１携帯電話機１００の各電気部品に直流の電力を供給する電源である。充電回路部１０２はバッテリー部１０１と充電端子部１０４とに接続され、ＡＣアダプタ等の充電器又は携帯用の充電器が充電端子部１０４に接続された場合に、充電回路部１０２が上記充電器から供給される直流の電力をバッテリー部１０１に充電する。給電回路部１０３は、バッテリー部１０１と給電端子部１０５とに接続されており、制御部１１３からの制御によりバッテリー部１０１からバッテリー部２０１への給電を行う。
【００３４】
無線通信部１０７は、電源スイッチ１０６が人為操作によりオン操作されて、バッテリー部１０１からの電力で動作した通信制御手段１２１の制御により図外の無線基地局から受信した電波を復調した電気信号を制御部１１３からスピーカー部１１０又は表示部１０８に出力する一方、マイクロホン部１０９又は表示部１０８から入力された電気信号を変調した電波を図外の無線基地局に送信するというように無線基地局と無線通信を行うものであり、通話機能だけを備えた構成、データ通信機能だけを備えた構成、通話機能とデータ通信機能とを併有した構成が考えられる。
【００３５】
表示部１０８は、バッテリー部１０１からの電力により制御部１１３の出力情報を可視化するための出力機器を構成する一方、タッチパネル機能を備える。このタッチパネル機能は、表示部１０８に表示された給電開始或いは給電停止等のシンボルマーク部が人為操作されることにより、当該シンボルマーク部に対応する電気信号を制御部１１３に入力する機能である。
【００３６】
制御部１１３は、ＣＰＵ部１１８、ＲＯＭ部１１９、ＲＡＭ部１２０、通信制御手段１２１、給電モード設定手段１２２、バッテリー残量検出手段１２３、連続給電時間検出手段１２４、書き換え手段１２５、給電制御手段１２６、強制給電手段１２７、表示制御手段１２８を備える。ＣＰＵ部１１８は、ＲＯＭ部１１９に格納されたオペレーティングシステムやアプリケーションソフトからなるコンピュータープログラムにしたがいＲＡＭ部１２０に記憶されている情報や記憶部１１２に保存された情報を使用しながら動作して第１携帯電話機１００の各電気部品の動作を制御するものである。通信制御手段１２１、給電モード設定手段１２２、バッテリー残量検出手段１２３、連続給電時間検出手段１２４、書き換え手段１２５、給電制御手段１２６、強制給電手段１２７、表示制御手段１２８は、ＣＰＵ部１１８の動作で具現化される。
【００３７】
通信制御手段１２１は、人為操作による入力操作部１１１からの入力をきっかけとして無線通信部１０７を制御する処理を行う。給電モード設定手段１２２は、人為操作による入力操作部１１１からのモード設定の入力により給電モードとして第１又は第２のモードの何れかを給電制御手段１２６に設定する。バッテリー残量検出手段１２３は、バッテリー部１０１の残量をバッテリー残量として検出して給電制御手段１２６に出力する。
【００３８】
連続給電時間検出手段１２４は、バッテリー部１０１からバッテリー部２０１への給電を開始した時に起動し、バッテリー部１０１からバッテリー部２０１に連続して給電された連続給電時間を、ＣＰＵ部１１８の動作の基準となるのに必要なクロック信号に基づき計時すると共に検出して給電制御手段１２６に出力する一方、バッテリー部１０１からバッテリー部２０１への給電が停止となった時に計時を停止する。書き換え手段１２５は、人為操作に対応して入力操作部１１１から入力された第１及び第２のしきい値を記憶部１１２に換え可能に保存させる。
【００３９】
給電制御手段１２６は、給電モードとして第１のモードが給電制御手段１２６に設定された場合には、バッテリー部１０１からバッテリー部２０１への電流の流れを検出することによりバッテリー部１０１からバッテリー部２０１への給電を開始し、給電モードとして第２のモードが給電制御手段１２６に設定された場合には、入力操作部１１１からの給電開始の入力によりバッテリー部１０１からバッテリー部２０１への給電を開始する。この実施の形態１では、給電制御手段１２６は、記憶部１１２に保存された給電開始条件を検出した場合にバッテリー部１０１からバッテリー部２０１への給電を開始する。
【００４０】
又、バッテリー部１０１からバッテリー部２０１への給電が開始された場合には、少なくとも、バッテリー残量検出手段１２３で検出されたバッテリー残量が記憶部１１２に保存された第１のしきい値に到達したか又は連続給電時間検出手段１２４で検出された連続給電時間が記憶部１１２に保存された第２のしきい値に到達したかの何れかの発生により、給電制御手段１２６はバッテリー部１０１からバッテリー部２０１への給電を停止する。この実施の形態１では、給電制御手段１２６が記憶部１１２に保存された給電停止条件を検出した場合にバッテリー部１０１からバッテリー部２０１への給電を停止する。
【００４１】
強制給電手段１２７は、検出されたバッテリー残量が記憶部１１２に保存された第１のしきい値に到達したか又は検出された連続給電時間が記憶部１１２に保存された第２のしきい値に到達したかの何れかの発生により給電の停止した後において、人為操作による入力操作部１１１からの給電開始の入力により、給電制御手段１２６の制御に置換してバッテリー部１０１からバッテリー部２０１への給電を再開する。表示制御手段１２８は、第１又は第２のしきい値パラメータを表示部１０８に表示する。
【００４２】
記憶部１１２は、保存した情報の維持に電力を必要としない記憶媒体により構成され、制御部１１３の制御により、給電開始データベース部１２９、給電停止データベース部１３０、表示データベース部１３１、しきい値データベース部１３２、給電検出シーケンス部１３３、図外の電話帳、図外の通信履歴等の情報を記録して保存する。給電開始データベース部１２９については、図３で詳述する。給電停止データベース部１３０については、図４で詳述する。表示データベース部１３１については、図５で詳述する。しきい値データベース部１３２については、図６で詳述する。
【００４３】
図３を参照し、実施の形態１に係る給電開始データベース部１２９について説明する。給電開始データベース部１２９には、給電モードの第１のモードに対する給電開始条件として「第１携帯電話機のバッテリー部と第２携帯電話機のバッテリー部とが互いに接続された後、給電検出シーケンス部により第１携帯電話機のバッテリー部から第２携帯電話機のバッテリー部への電流の流れが検出された場合」が予め書き換え不可能に保存される。
【００４４】
又、給電開始データベース部１２９には、給電モードの第２のモードに対する給電開始条件として「給電スイッチ部がオン操作された場合、又は、表示部に表示された給電開始のシンボルマーク部が操作された場合」が予め書き換え不可能に保存される。
【００４５】
図４を参照し、実施の形態１に係る給電停止データベース部１３０について説明する。給電停止データベース部１３０には、給電モードの第１又は第２のモードのそれぞれに対する給電停止条件として「バッテリー残量が第１のしきい値に到達した場合」「省電力モードがオンであり、給電開始後、連続給電時間が第２のしきい値に到達した場合」「省電力モードがオンであり、給電開始後、連続給電時間が第２のしきい値に到達する前に、給電不要が検出された場合」「第１携帯電話機のバッテリー部の温度の異常が検出された場合」「第１携帯電話機のバッテリー部が充電中の場合」のそれぞれが予め書き換え不可能に保存される。
【００４６】
上記「省電力モード」はバッテリー部１０１のバッテリー残量を確保するため及びバッテリー部２０１が満充電となった後に給電し続けないようにするためのモードであり、「省電力モード」のオン又はオフは入力操作部１１１から人為操作に対応する電気信号が制御部１１３に入力されることにより給電制御手段１２６に設定される。上記「給電不要が検出された場合」とは、バッテリー部１０１からバッテリー部２０１への給電中に５０ｍＡ以下の電流値が６０秒続くというように、予め設定された所定値以下の電流値が予め設定された所定時間続き、バッテリー部２０１が満充電になったとみなせる場合である。
【００４７】
又、給電停止データベース部１３０には、給電モードの第２のモードに対する給電停止条件として「給電スイッチ部がオフ操作された場合、又は、表示部に表示された給電停止のシンボルマーク部が操作された場合」が予め書き換え不可能に保存される。
【００４８】
図５を参照し、実施の形態１に係る表示データベース部１３１について説明する。表示データベース部１３１には、表示種類として「第１のしきい値パラメータとしてのバッテリー残量」「第２のしきい値パラメータとしての待受可能時間」「第２のしきい値パラメータとしての通話時間」のそれぞれが書き換え可能に保存される。表示データベース部１３１の記録更新は、６０秒毎のような所定の時間間隔及びバッテリーピクトグラムの表示更新時になっている。
【００４９】
「第１のしきい値パラメータとしてのバッテリー残量」に対する表示内容としては「第１のしきい値に到達した時のバッテリー残量をバッテリーの定格容量に対するパーセント単位で表示」し、「第２のしきい値パラメータとしての待受可能時間」に対する表示内容としては「第１のしきい値に到達した時のバッテリー残量を待受時の消費電力で除算して算出した待受可能時間で表示」し、「第２のしきい値パラメータとしての通話時間」に対する表示内容としては「第１のしきい値に到達した時のバッテリー残量を通話時の消費電力で除算して算出した通話可能時間で表示」する。
【００５０】
図６を参照し、実施の形態１に係るしきい値データベース部１３２について説明する。しきい値データベース部１３２には、第１のしきい値に対する「初期値」及び「指定値」、第２のしきい値に対する「初期値」及び「指定値」のそれぞれが保存される。
【００５１】
例えば、第１のしきい値に対する「初期値」としてはバッテリー部１０１の定格容量の３０％が書き換え不可能に保存され、第１のしきい値に対する「指定値」としてはバッテリー部１０１の定格容量の１０乃至９０％の範囲の値が書き換え可能に保存される。
【００５２】
又、第２のしきい値に対する「初期値」としては４時間００分が書き換え不可能に保存され、第２のしきい値に対する「指定値」としては０時間０１分乃至９時間５９分の範囲の値が書き換え可能に保存される。
【００５３】
図１と図２及び図７並びに図８を参照し、実施の形態１に係る第１携帯電話機１００での給電処理について説明する。電源スイッチ１０６が人為操作によりオン操作され、給電処理が始まると、図７のステップ１１０１では給電モードとして第１のモードが給電制御手段１２６に設定されているかを判断し、第１のモードが設定されている場合はステップ１１０２に進み、第１のモードが設定されていない場合はステップ１１０５に進む。
【００５４】
ステップ１１０２では、給電制御手段１２６が給電を検出したかを判断し、給電制御手段１２６が給電検出シーケンス部１３３に基づくバッテリー部１０１からバッテリー部２０１への電流の流れを検出した場合はステップ１１０３に進み、給電制御手段１２６が給電検出シーケンス部１３３に基づくバッテリー部１０１からバッテリー部２０１への電流の流れを検出しない場合はステップ１１０２に戻る。
【００５５】
ステップ１１０３では、給電制御手段１２６が給電を開始する。これにより、給電制御手段１２６が給電モードの第１のモードに基づき給電回路部１０３を制御し、給電回路部１０３がバッテリー部１０１からバッテリー部２０１への給電を開始した後、ステップ１１０４に進む。
【００５６】
ステップ１１０４では、給電制御手段１２６が図４の給電停止データベース部１３０における項番１乃至５に対応する給電停止条件の何れか１つが発生したかを判断し、上記項番１乃至５に対応する給電停止条件の何れか１つが発生した場合はステップ１１０９に進み、上記項番１乃至５に対応する給電停止条件の何れか１つも発生していない場合はステップ１１０４に戻る。
【００５７】
ステップ１１０５では、給電モードとして第２のモードが給電制御手段１２６に設定されているかを判断し、第２のモードが設定されている場合はステップ１１０６に進み、第２のモードが設定されていない場合はステップ１１０１に戻る。
【００５８】
ステップ１１０６では、給電制御手段１２６が給電開始かを判断し、給電制御手段１２６が給電スイッチ部１３６のオン操作又は表示部１０８に表示された給電開始のシンボルマーク部の操作に対応する電気信号の入力を検出した場合はステップ１１０７に進み、給電制御手段１２６が給電スイッチ部１３６のオン操作又は表示部１０８に表示された給電開始のシンボルマーク部の操作に対応する電気信号の入力を検出しない場合はステップ１１０６に戻る。
【００５９】
ステップ１１０７では、給電制御手段１２６が給電を開始する。これにより、給電制御手段１２６が給電モードの第２のモードに基づき給電回路部１０３を制御し、給電回路部１０３が第１携帯電話機１００のバッテリー部１０１から第２携帯電話機２００のバッテリー部２０１への給電を開始した後、ステップ１１０８に進む。
【００６０】
ステップ１１０８では、図４の給電停止データベース部１３０における項番１乃至６に対応する給電停止条件の何れか１つが発生したかを判断し、上記項番１乃至６に対応する給電停止条件の何れか１つが発生した場合はステップ１１０９に進み、上記項番１乃至６に対応する給電停止条件の何れか１つも発生していない場合はステップ１１０８に戻る。
【００６１】
ステップ１１０９では、給電制御手段１２６が給電を停止する。これにより、給電制御手段１２６が給電回路部１０３を制御し、給電回路部１０３が第１携帯電話機１００のバッテリー部１０１から第２携帯電話機２００のバッテリー部２０１への給電を停止し、図８のステップ１１１０に進む。
【００６２】
ステップ１１１０では、強制給電手段１２７が給電開始かを判断し、強制給電手段１２７が給電スイッチ部１３６のオン操作又は表示部１０８に表示された給電開始のシンボルマーク部の操作に対応する電気信号の入力を検出した場合はステップ１１１１に進み、強制給電手段１２７が給電スイッチ部１３６のオン操作又は表示部１０８に表示された給電開始のシンボルマーク部の操作に対応する電気信号の入力を検出しない場合は第１携帯電話機１００による給電処理を終わる。
【００６３】
ステップ１１１１では、強制給電手段１２７が給電を開始する。これにより、強制給電手段１２７が給電回路部１０３を制御し、給電回路部１０３がバッテリー部１０１からバッテリー部２０１への給電を開始した後、ステップ１１１２に進む。
【００６４】
ステップ１１１２では、強制給電手段１２７が給電停止かを判断し、強制給電手段１２７が給電スイッチ部１３６のオフ操作又は表示部１０８に表示された給電停止のシンボルマーク部の操作に対応する電気信号の入力を検出した場合はステップ１１１３に進み、強制給電手段１２７が給電スイッチ部１３６のオフ操作又は表示部１０８に表示された給電停止のシンボルマーク部の操作に対応する電気信号の入力を検出しない場合はステップ１１１２に戻る。
【００６５】
ステップ１１１３では強制給電手段１２７が給電を停止する。これにより、強制給電手段１２７が給電回路部１０３を制御し、給電回路部１０３が第１携帯電話機１００のバッテリー部１０１からバッテリー部２０１への給電を停止し、第１携帯電話機１００による給電処理を終わる。
【００６６】
つまり、この実施の形態１に係る第１携帯電話機１００の給電処理によれば、図７のステップ１１０１乃至１０４及びステップ１１０９で示すように、電源スイッチ１０６が人為操作によりオン操作された状態において、給電モードとして第１のモードが給電制御手段１２６に設定されている場合は、給電制御手段１２６がバッテリー部１０１からバッテリー部２０１の側への電流の流れを検出することによりバッテリー部１０１からバッテリー部２０１への給電を開始し、その後、図４の給電停止データベース部１３０における項番１乃至５に対応する給電停止条件の何れか１つが発生すると、給電制御手段１２６がバッテリー部１０１からバッテリー部２０１への給電を停止する。
【００６７】
一方、図７のステップ１１０５乃至１０９で示すように、電源スイッチ１０６が人為操作によりオン操作された状態において、給電モードとして第２のモードが給電制御手段１２６に設定されている場合は、給電制御手段１２６が入力操作部１１１からの人為操作による給電開始に対応する電気信号の入力を検出することによりバッテリー部１０１からバッテリー部２０１への給電を開始し、その後、図４の給電停止データベース部１３０における項番１乃至６に対応する給電停止条件の何れか１つが発生すると、給電制御手段１２６がバッテリー部１０１からバッテリー部２０１への給電を停止する。
【００６８】
又、図８のステップ１１１０乃至１１３で示すように、電源スイッチ１０６が人為操作によりオン操作された状態において、上記第１又は第２のモードによる給電の停止した後に、強制給電手段１２７が給電スイッチ部１３６のオン操作又は表示部１０８に表示された給電開始のシンボルマーク部の操作に対応する電気信号の入力を検出することによりバッテリー部１０１からバッテリー部２０１への給電を開始し、その後、強制給電手段１２７が給電スイッチ部１３６のオフ操作又は表示部１０８に表示された給電停止のシンボルマーク部の操作に対応する電気信号の入力を検出することによりバッテリー部１０１からバッテリー部２０１への給電を停止する。
【００６９】
尚、上記強制給電手段１２７によるバッテリー部１０１からバッテリー部２０１への給電中において、給電スイッチ部１３６が人為操作によるオフ操作又は表示部１０８に表示された給電停止のシンボルマーク部が人為操作されることがなく、強制給電手段１２７が入力操作部１１１からの人為操作による給電停止に対応する電気信号の入力を検出しないまま、バッテリー部１０１のバッテリー残量が第１携帯電話機１００のカレンダー機能等に必要不可欠な電気部品の動作を所定期間維持可能とする値に到達した場合、図７及び図８の給電処理が中止され、バッテリー部１０１からバッテリー部２０１への給電が停止する。
【００７０】
図１と図２及び図９を参照し、実施の形態２に係る第１携帯電話機１００での給電処理について説明する。電源スイッチ１０６が人為操作によりオン操作され、給電処理が始まると、ステップ１２０１では給電制御手段１２６が給電開始かを判断し、給電制御手段１２６が給電スイッチ部１３６のオン操作又は表示部１０８に表示された給電開始のシンボルマーク部の操作に対応する電気信号の入力を検出した場合はステップ１２０２に進み、給電制御手段１２６が給電スイッチ部１３６のオン操作又は表示部１０８に表示された給電開始のシンボルマーク部の操作に対応する電気信号の入力を検出しない場合はステップ１２０１に戻る。
【００７１】
ステップ１２０２では、給電制御手段１２６が給電を開始する。これにより、給電制御手段１２６が給電回路部１０３を制御し、給電回路部１０３がバッテリー部１０１からバッテリー部２０１への給電を開始した後、ステップ１２０３に進む。ステップ１２０３では、バッテリー残量検出手段１２３がバッテリー残量を検出してＲＡＭ部１２０に記録して保存し、連続給電時間検出手段１２４が連続給電時間を検出してＲＡＭ部１２０に記録して保存し、ステップ１２０４に進む。
【００７２】
ステップ１２０４ではＲＡＭ部１２０に保存されたバッテリー残量が第１のしきい値に到達したかを判断し、バッテリー残量が第１のしきい値に到達しない場合はステップ１２０５に進み、バッテリー残量が第１のしきい値に到達した場合はステップ１２０６に進む。
【００７３】
ステップ１２０５ではＲＡＭ部１２０に保存された連続給電時間が第２のしきい値に到達したかを判断し、連続給電時間が第２のしきい値に到達した場合はステップ１２０６に進み、連続給電時間が第２のしきい値に到達しない場合はステップ１２０４に戻る。
【００７４】
ステップ１２０６では、給電制御手段１２６が給電を停止する。これにより、給電制御手段１２６が給電回路部１０３を制御し、給電回路部１０３がバッテリー部１０１からバッテリー部２０１への給電を停止し、第１携帯電話機１００による給電処理を終わる。
【００７５】
つまり、この実施の形態２に係る第１携帯電話機１００の給電処理によれば、図９のステップ１２０１乃至１２０６で示すように、電源スイッチ１０６が人為操作によりオン操作された状態において、給電制御手段１２６が入力操作部１１１からの人為操作による給電開始に対応する電気信号の入力を検出することによりバッテリー部１０１からバッテリー部２０１への給電を開始し、その後、検出されたバッテリー残量が第１のしきい値に到達したか又は検出された連続給電時間が第２のしきい値に到達したかの何れかの発生によりバッテリー部１０１からバッテリー部２０１への給電を停止する。
【００７６】
尚、本発明の実施形態として給電する側を携帯電話機で説明をしてきたが、同様に他者への充電機能を有する携帯端末装置でも実施は可能である。又、給電される側も携帯電話機で説明してきたが、同様に他者から充電を受ける機能を有する携帯端末装置でも実施は可能である。
【符号の説明】
【００７７】
１乃至９９は欠番、１００は第１携帯電話機、１０１はバッテリー部、１０２は充電回路部、１０３は給電回路部、１０４は充電端子部、１０５は給電端子部、１０６は電源スイッチ、１０７は無線通信部、１０８は表示部、１０９はマイクロホン部、１１０はスピーカー部、１１１は入力操作部、１１２は記憶部、１１３は制御部、１１８はＣＰＵ部、１１９はＲＯＭ部、１２０はＲＡＭ部、１２１は通信制御手段、１２２は給電モード設定手段、１２３はバッテリー残量検出手段、１２４は連続給電時間検出手段、１２５は書き換え手段、１２６は給電制御手段、１２７は強制給電手段、１２８は表示制御手段、１２９は給電開始データベース部、１３０は給電停止データベース部、１３１は表示データベース部、１３２はしきい値データベース部、１３３は給電検出シーケンス部、１３４は欠番、１３５はキーボード部、１３６は給電スイッチ部、１３７は集音孔部、１３８は放音孔部、１３９乃至１９９は欠番、２００は第２携帯電話機、２０１はバッテリー部、２０２は充電端子部、２０３は表示部、２０４は制御部、２０５は無線通信部、２０６はマイクロホン部、２０７はスピーカー部、２０８は集音孔部、２０９は放音孔部、２１０乃至２９９は欠番、３００は給電線部、３０１はケーブル端子部、３０２はケーブル端子部、３０３乃至３９９は欠番、４００は第１携帯電話機、４０１は第２携帯電話機、４０２は給電線。
【図１】
2014090273.tif 000003
【図２】
2014090273.tif 000004
【図３】
2014090273.tif 000005
【図４】
2014090273.tif 000006
【図５】
2014090273.tif 000007
【図６】
2014090273.tif 000008
【図７】
2014090273.tif 000009
【図８】
2014090273.tif 000010
【図９】
2014090273.tif 000011
【図１０】
2014090273.tif 000012